(57)【要約】  【課題】オートプリセット処理において、ノイズをテレビジョン放送信号と誤認せず、テレビジョン放送信号を受信可能なチャンネルのみを確実に登録できるアナログチューナ内蔵映像機器を提供する。  【解決手段】アナログチューナ内蔵テレビジョン受像機において、オートプリセット処理で、アナログチューナにより選局して映像信号処理部により処理した受信信号に、カラーバースト信号が含まれているか否かを判別し、カラーバースト信号が含まれていれば、テレビジョン放送信号を受信可能と判断して、選局中のチャンネルを登録し、カラーバースト信号が含まれていなければ、テレビジョン放送信号を受信不可能と判断して、選局中のチャンネルを登録しない。【選択図】  図３
2007043409.tif 000002
【特許請求の範囲】
【請求項１】
テレビジョン放送電波から所定のチャンネルの周波数を選局するアナログチューナと、アナログチューナから出力される信号を処理して映像表示用の信号を生成する映像信号処理手段と、予め記憶されたチャンネルの周波数をアナログチューナにより順次スキャンして選局し、放送局から送信されたテレビジョン放送信号を受信可能なチャンネルを登録するオートプリセット処理を行う制御手段とを備えたアナログチューナ内蔵映像機器において、
前記制御手段は、前記オートプリセット処理で、
前記アナログチューナにより選局して前記映像信号処理手段により処理した受信信号に、正規の水平同期信号が含まれているか否かを判別し、正規の水平同期信号が含まれている場合は、さらに正規のカラーバースト信号が含まれているか否かを判別し、正規のカラーバースト信号が含まれている場合は、テレビジョン放送信号を受信可能と判断して、選局中のチャンネルを登録し、
他方、前記受信信号に正規の水平同期信号が含まれていない場合または正規のカラーバースト信号が含まれていない場合は、テレビジョン放送信号を受信不可能と判断して、選局中のチャンネルを登録しないことを特徴とするアナログチューナ内蔵映像機器。
【請求項２】
テレビジョン放送電波から所定のチャンネルの周波数を選局するアナログチューナと、アナログチューナから出力される信号を処理して映像表示用の信号を生成する映像信号処理手段と、予め記憶されたチャンネルの周波数をアナログチューナにより順次スキャンして選局し、テレビジョン放送信号を受信可能なチャンネルを登録するオートプリセット処理を行う制御手段とを備えたアナログチューナ内蔵映像機器において、
前記制御手段は、前記オートプリセット処理で、前記アナログチューナにより選局して前記映像信号処理手段により処理した受信信号に、バースト信号が含まれているか否かを判別し、バースト信号が含まれている場合にのみ、選局中のチャンネルを登録することを特徴とするアナログチューナ内蔵映像機器。
【請求項３】
請求項２に記載のアナログチューナ内蔵映像機器において、
前記制御手段は、前記受信信号に、正規の同期信号が含まれているか否かを判別し、正規の同期信号が含まれている場合にのみ、前記バースト信号の含有判別を行うことを特徴とするアナログチューナ内蔵映像機器。
【発明の詳細な説明】
【技術分野】
【０００１】
本発明は、チャンネルのオートプリセット処理を行うアナログチューナ内蔵映像機器に関するものである。
【背景技術】
【０００２】
従来、例えばテレビやビデオ等の映像機器には、メモリ等に予め記憶されたチャンネルの周波数を、内蔵されたアナログチューナ（以下、単に「チューナ」という。）により順次スキャンして選局し、放送局から送信されたテレビジョン放送信号を受信可能なチャンネルを登録するオートプリセット処理を行うものがある。このような映像機器の使用環境下にはテレビジョン放送電波とこれ以外のノイズが混在しているため、オートプリセット処理において、受信したノイズをテレビジョン放送信号と誤認して、そのとき選局中のチャンネル、即ちノイズを受信しテレビジョン放送信号を受信できないチャンネルを登録してしまうことがある。
【０００３】
上記問題を回避するために、従来の映像機器では、例えば下記の特許文献１に開示されているように、チューナにより選局して得られる受信信号がテレビジョン放送信号であるか否かを、該受信信号に水平同期信号が含まれているか否かにより識別している。また、ノイズを水平同期信号と誤認しないように、テレビジョン放送信号を検波して得た複合映像信号から水平同期信号のみを分離抽出する同期分離回路を、陰極線管の同期・偏向回路と独立して設け、同期分離回路において分離抽出された水平同期信号とテレビの本体側で作られる水平走査用の偏向パルスとの位相が一致した場合にのみ、該水平同期信号を正常と判断している。
【０００４】
一方、ラジオ等の受信機では、例えば下記の特許文献２、３に開示されているように、チューナ等により選局して得られる受信信号の受信強度レベルが閾値より大きいか否かの判定を複数回行い、または閾値を変えて複数回行い、受信強度レベルが閾値より大きければ、選局中の周波数の放送信号を受信可能と判断している。
【特許文献１】特開昭５７−１１３６１３号公報
【特許文献２】特開２００２−１４１７８１号公報
【特許文献３】特開平６−６１７９６号公報
【発明の開示】
【発明が解決しようとする課題】
【０００５】
上述した特許文献１のように、チューナにより選局して得られる受信信号に水平同期信号が含まれているか否かによりテレビジョン放送信号の受信確認を行う方法では、ノイズの波形が水平同期信号の波形に近似している場合、該ノイズを水平同期信号と誤認するおそれがある。また、上述した特許文献２、３のように、受信信号の受信強度レベルと閾値とを比較して放送信号の受信確認を行う方法では、ノイズの受信強度レベルが閾値より大きい場合、該ノイズを放送信号と誤認するおそれがある。
【０００６】
本発明は、以上の問題点を解決するものであって、その課題とするところは、オートプリセット処理において、ノイズをテレビジョン放送信号と誤認せず、テレビジョン放送信号を受信可能なチャンネルのみを確実に登録できるアナログチューナ内蔵映像機器を提供することにある。
【課題を解決するための手段】
【０００７】
本発明では、テレビジョン放送電波から所定のチャンネルの周波数を選局するアナログチューナと、アナログチューナから出力される信号を処理して映像表示用の信号を生成する映像信号処理手段と、予め記憶されたチャンネルの周波数をアナログチューナにより順次スキャンして選局し、テレビジョン放送信号を受信可能なチャンネルを登録するオートプリセット処理を行う制御手段とを備えたアナログチューナ内蔵映像機器において、制御手段は、オートプリセット処理で、アナログチューナにより選局して映像信号処理手段により処理した受信信号に、バースト信号が含まれているか否かを判別し、バースト信号が含まれている場合にのみ、選局中のチャンネルを登録する。ここで、「バースト信号」とは、ＮＴＳＣ方式等のテレビジョン放送信号の所定の位置に挿入されている色信号復調処理等の基準となる信号のことであって、カラー放送だけでなくモノクロ放送においても挿入されている。
【０００８】
オートプリセット処理において、受信信号が放送局から送信されたテレビジョン放送信号であれば、該受信信号の所定の位置にはバースト信号が挿入されていて、受信信号がテレビジョン放送信号ではなくノイズであれば、該受信信号の所定の位置には、バースト信号が挿入されていない。このため、上記のように受信信号おけるバースト信号の含有判別を行うことで、ノイズの波形が水平同期信号の波形に近似している場合であっても、ノイズを放送局からのテレビジョン放送信号と誤認するのを防止することができる。また、受信信号にバースト信号が含まれている場合にのみ選局中のチャンネルを登録することで、ノイズではなく、テレビジョン放送信号を受信可能なチャンネルのみを確実に登録することができる。
【０００９】
また、本発明の実施形態では、制御手段は、上記受信信号に、正規の同期信号が含まれているか否かを判別し、正規の同期信号が含まれている場合にのみ、上記バースト信号の含有判別を行う。ここで、「同期信号」とは、テレビジョン放送信号の所定の位置に挿入されていて、送像側と受像側の走査を同期させて画面を正しく再現するための信号のことであって、水平方向の同期をとるための水平同期信号と垂直方向の同期をとるための垂直同期信号とがある。上記オートプリセット処理では、水平同期信号と垂直同期信号の少なくとも一方の含有判別を行えばよい。
【００１０】
オートプリセット処理において、受信信号がテレビジョン放送信号であれば、該受信信号には同期信号が挿入されていて、その同期信号のうち水平同期信号のすぐ後にはバースト信号が挿入されている。このため、上記のように受信信号にノイズではない正規の同期信号とバースト信号の両方が含まれているのを確認できた場合に、選局中のチャンネルを登録することで、ノイズではなく、放送局からのテレビジョン放送信号を受信可能なチャンネルのみを一層確実に登録することができる。
【００１１】
さらに、本発明の典型的な実施形態では、テレビジョン放送電波から所定のチャンネルの周波数を選局するアナログチューナと、アナログチューナから出力される信号を処理して映像表示用の信号を生成する映像信号処理手段と、予め記憶されたチャンネルの周波数をアナログチューナにより順次スキャンして選局し、放送局から送信されたテレビジョン放送信号を受信可能なチャンネルを登録するオートプリセット処理を行う制御手段とを備えたアナログチューナ内蔵映像機器において、制御手段は、オートプリセット処理で、アナログチューナにより選局して映像信号処理手段により処理した受信信号に、正規の水平同期信号が含まれているか否かを判別し、正規の水平同期信号が含まれている場合は、さらに正規のカラーバースト信号が含まれているか否かを判別し、正規のカラーバースト信号が含まれている場合は、テレビジョン放送信号を受信可能と判断して、選局中のチャンネルを登録し、他方、受信信号に正規の水平同期信号が含まれていない場合または正規のカラーバースト信号が含まれていない場合は、テレビジョン放送信号を受信不可能と判断して、選局中のチャンネルを登録しない。
【００１２】
オートプリセット処理において、受信信号がテレビジョン放送信号であれば、該受信信号には水平同期信号が挿入されていて、該水平同期信号のすぐ後にはカラーバースト信号が挿入されていて、受信信号がテレビジョン放送信号ではなくノイズであれば、該受信信号には水平同期信号およびカラーバースト信号が挿入されていない。このため、上記のように受信信号における正規の水平同期信号と正規のカラーバースト信号の両方の含有判別を行うことで、ノイズの波形が水平同期信号の波形に近似している場合であっても、ノイズを放送局からのテレビジョン放送信号と誤認するのを確実に防止することができる。また、受信信号に正規の水平同期信号と正規のカラーバースト信号の両方が含まれているのを確認できた場合に、テレビジョン放送信号を受信可能と判断して、選局中のチャンネルを登録し、両方が含まれているのを確認できなかった場合に、テレビジョン放送信号を受信不可能と判断して、選局中のチャンネルを登録しないことで、ノイズではなく、テレビジョン放送信号を受信可能なチャンネルのみを確実に登録することができる。
【発明の効果】
【００１３】
本発明によれば、オートプリセット処理において、受信信号にカラーバースト信号が含まれているか否かを判別し、カラーバースト信号が含まれている場合にのみ選局中のチャンネルを登録するので、ノイズを放送局からのテレビジョン放送信号と誤認するのを防止して、ノイズではなく、テレビジョン放送信号を受信可能なチャンネルのみを確実に登録することができる。
【発明を実施するための最良の形態】
【００１４】
図１は、本発明に係るアナログチューナ内蔵映像機器の一実施形態であるアナログチューナ内蔵テレビジョン受像機（以下、単に「テレビ」という。）１００のブロック図である。テレビ１００のマイクロコンピュータ（以下、単に「マイコン」という。）１は、ＣＰＵやＲＯＭおよびＲＡＭといったメモリ等から構成されていて、テレビ１００の各部の動作制御を行う。図１では、マイコン１から各部へ制御信号を送信するための信号ラインは一部図示を省略している。
【００１５】
アナログチューナ（以下、単に「チューナ」という。）２は、高周波増幅回路、周波数混合回路、および局部発振回路等から構成されていて、アンテナ３で受信したカラー放送のテレビジョン放送電波から所定のチャンネルの周波数を選局する。中間周波増幅部４は、ＩＦ(Intermediate Frequency)回路等から構成されていて、チューナ２から出力される信号、即ちチューナ２で生成された映像中間周波信号および音声中間周波信号を増幅する。音声信号処理部５は、音声検波回路等から構成されていて、中間周波増幅部４から出力される信号から音声信号を取り出す。音声アンプ６は、音声増幅回路から構成されていて、音声信号処理部５から出力される音声信号を増幅して、スピーカ７を駆動し、音声を出力させる。
【００１６】
映像信号処理部８は、映像検波回路、映像増幅回路、色信号再生回路、および同期回路等から構成されていて、中間周波増幅部４から出力される信号を処理して映像表示用の信号を生成する。より詳しくは、映像信号処理部８は、中間周波増幅部４から出力される信号を検波して、輝度信号、搬送色信号、カラーバースト信号、および同期信号を取り出し、さらに輝度信号を増幅し、搬送色信号からカラーバースト信号に基づいて色相と飽和度の情報である色信号を復調し、同期信号を増幅して水平同期信号と垂直同期信号に分離する。マイコン１には、映像信号処理部８で処理されている上記信号を特定する情報や時間等をカウントするカウンタ１ａが設けられている。ＣＲＴ(Cathode Ray Tube)駆動部９は、駆動電力供給回路等から構成されていて、映像信号処理部８から入力される輝度信号および色信号等に基づいてＣＲＴ１０に電圧および電流を供給して、ＣＲＴ１０を駆動し、映像を表示させる。水平・垂直偏向部１１は、水平偏向回路および垂直偏向回路等から構成されていて、映像信号処理部８から入力される水平同期信号と垂直同期信号に基づいてＣＲＴ１０の電子ビームを水平方向および垂直方向へ偏向させる。
【００１７】
メモリ１２は、ＲＡＭおよびフラッシュメモリ等から構成されている。このメモリ１２の所定の領域には、テレビジョン放送帯域に割り当てられた全てのチャンネルの番号と周波数とが予め記憶されている。マイコン１は、その予め記憶されたチャンネルの周波数をチューナ２により順次スキャンして選局し、放送局から送信されたテレビジョン放送信号を受信可能なチャンネルを検出して、メモリ１２のプリセット領域に登録するオートプリセット処理を行う。オートプリセット処理の詳細は後述する。操作部１３は、テレビ１００の本体に設けられた操作キー、スイッチ、およびＬＥＤ、並びにリモコンに設けられた操作キー等から構成されていて、操作キーには、オートプリセット処理の開始を指示するオートプリセットキーが含まれている。
【００１８】
上記構成において、マイコン１は、本発明における制御手段の一実施形態を構成する。チューナ２は、本発明におけるアナログチューナの一実施形態を構成する。映像信号処理部８は、本発明における映像信号処理手段の一実施形態を構成する。なお、テレビ１００には上記以外にも、電源部等のような公知のテレビジョン受像機を構成する種々の要素があるが、ここでは図示および説明を省略する。
【００１９】
図２は、ＮＴＳＣ(National  Television  System  Committee)方式のカラー放送のテレビジョン放送信号（コンポジット・ビデオ信号）の波形図である。ＮＴＳＣ方式では、１フレーム（コマ）を２回に分けて走査することにより１枚の画像を伝送する。図２（ａ）はその１フレームを２分したうちの一方である第１フィールド（奇数フィールド）を示し、（ｂ）は他方である第２フィールド（偶数フィールド）を示している。１フレームは５２５本の走査線で構成されているため、１フィールドの走査線数はその半分の２６２．５本である。各フィールドの垂直帰線消去期間には、垂直同期信号がそれぞれ挿入されていて、各垂直同期信号の前後には等化パルスが挿入されている。各垂直同期信号中に電圧プラス側へ突出しているのは、切り込みパルスである。各垂直帰線消去期間の後の水平走査期間には、水平走査線１本１本を構成する映像信号が複数挿入されている。図２（ｃ）は１水平走査期間（水平走査線１本）を拡大して示している。１水平走査期間の水平帰線消去期間には、マイナス側へ突出する水平同期信号が挿入されていて、該水平同期信号のすぐ後のバックポーチには、カラーバースト信号が挿入されていて、該カラーバースト信号の後には、実質的な映像信号（輝度信号および色信号）が挿入されている。
【００２０】
ＮＴＳＣ方式の規格では、上記各期間および各信号に関する事項が種々規定されている。例えば、期間の長さに関しては、１水平走査期間：１Ｈ＝約６３．５μｓ（マイクロ秒）、垂直帰線消去期間：２０Ｈ〜２１Ｈ＝約１２７０〜１３３３．５μｓ、水平帰線消去期間：約１０．９μｓ等がある。垂直同期信号に関しては、パルス数：１フレーム期間で２個、パルス幅：３Ｈ＝約１９０．５μｓ、周波数：約６０Ｈｚ、挿入位置：垂直帰線消去期間の前置等化パルス直後等がある。水平同期信号に関しては、パルス数：１フレーム期間で５２５個、パルス幅：約５μｓ、周波数：約１５．７３４ｋＨｚ、挿入位置：水平帰線消去期間のフロントポーチ直後等がある。カラーバースト信号に関しては、周波数：約３．５８ＭＨｚ、周期数（サイクル数）：１水平帰線消去期間のバックポーチに８〜１２サイクル、挿入位置：水平同期信号の前縁から約５．３〜７．８２μｓの間等がある。
【００２１】
図１のテレビ１００のチューナ２で選局して得られる受信信号が、放送局から送信されたＮＴＳＣ方式のテレビジョン放送信号であれば、チューナ２から中間周波増幅部４を介して映像信号処理部８へ出力されて該映像信号処理部８で処理した信号は、図２のような波形になる。これに対して、上記受信信号がテレビジョン放送信号ではなくノイズであれば、映像信号処理部８で処理した信号は図２のような波形にはならない。
【００２２】
図３は、テレビ１００のオートプリセット処理の手順を示すフローチャートである。前述した操作部１３のオートプリセットキーが操作されて、オートプリセット処理の開始が指示されると、マイコン１は、メモリ１２から予め設定された１つのチャンネル（以下、「Ｎｃｈ」という。）の周波数を読み出す（ステップＳ１）。本例では、メモリ１２に記憶された複数のチャンネルのうち、最小チャンネルから最大チャンネルまでを順次スキャンするため、まず最小チャンネルの周波数を読み出すように設定されている。次いで、マイコン１は、チューナ２によりテレビジョン放送電波からそのＮｃｈの周波数を選局する（ステップＳ２）。
【００２３】
そして、マイコン１は、チューナ２から中間周波増幅部４を介して映像信号処理部８へ出力される受信信号を映像信号処理部８により処理して、該信号から水平同期信号を検出し、所定時間内（垂直帰線消去期間より長い時間、例えば１水平走査期間の３０倍である３０Ｈ以内）の該水平同期信号のパルス数をカウンタ１ａによりカウントする(ステップＳ３)。続いて、マイコン１は、そのカウント値（カウントしたパルス数）が予め規定されてマイコン１内のメモリに記憶されている規定値（例えば、３０±１個）内か否かを判定する（ステップＳ４）。ここで、カウント値が規定値内でなければ（ステップＳ４：ＮＯ）、受信信号はノイズであるため、マイコン１は、正規の水平同期信号が無い（含まれていない）と判断し（ステップＳ６）、さらにテレビジョン放送信号が受信不可能と判断する（ステップＳ１２）。そして、マイコン１は、選局中のＮｃｈを登録せずに、ステップＳ１４へ移行する。
【００２４】
一方、ステップＳ４でカウント値が規定値内であれば（ステップＳ４：ＹＥＳ）、マイコン１は、正規の水平同期信号が有る（含まれている）と判断する（ステップＳ５）。そして、マイコン１は、検出した水平同期信号に基づいて、上記受信信号からカラーバースト信号を検出し、所定時間内（例えば１水平帰線消去期間のバックポーチ程度の時間、即ち水平同期信号の前縁から８μｓ程度）の該カラーバースト信号の周期数をカウンタ１ａによりカウントする(ステップＳ７)。続いて、マイコン１は、そのカウント値（カウントした周期数）が予め規定されてマイコン１内のメモリに記憶されている規定値（例えば、８〜１２サイクル）内か否かを判定する（ステップＳ８）。ここで、カウント値が規定値内でなければ（ステップＳ８：ＮＯ）、受信信号はノイズであるため、マイコン１は、正規のカラーバースト信号が無い（含まれていない）と判断し（ステップＳ１０）、さらにテレビジョン放送信号が受信不可能と判断する（ステップＳ１２）。そして、マイコン１は、選局中のＮｃｈを登録せずに、ステップＳ１４へ移行する。
【００２５】
一方、ステップＳ８でカウント値が規定値内であれば（ステップＳ８：ＹＥＳ）、マイコン１は、正規のカラーバースト信号が有る（含まれている）と判断し（ステップＳ９）、さらにテレビジョン放送信号が受信可能と判断し（ステップＳ１１）、選局中のＮｃｈの情報（番号および周波数等）をメモリ１２のプリセット領域に登録する（ステップＳ１３）。この登録により、以降操作部１３のＮｃｈに対応するチャンネルキーを操作することで、Ｎｃｈの映像および音声がＣＲＴ１０およびスピーカ７から出力され、視聴可能となる。登録後、マイコン１はステップＳ１４へ移行する。
【００２６】
ステップＳ１４でマイコン１は、Ｎｃｈが予め設定された最終チャンネルであるか否かを判定する。本例では、前述したようにメモリ１２に記憶された最小チャンネルから最大チャンネルまでを順次スキャンするため、最大チャンネルが最終チャンネルとして設定されている。Ｎｃｈが最終チャンネルでなければ（ステップＳ１４：ＮＯ）、マイコン１は、次のチャンネルをＮｃｈとして設定し（ステップＳ１５）、ステップＳ１へ移行して、上述したのと同様に以降の処理を実行する。そして、ステップＳ１〜ステップＳ１５の各処理を繰り返し実行した後、ステップＳ１４でＮｃｈが最終チャンネルであれば（ステップＳ１４：ＹＥＳ）、マイコン１はオートプリセット処理を終了する。
【００２７】
以上のオートプリセット処理において、受信信号が放送局から送信されたテレビジョン放送信号であれば、該受信信号には水平同期信号が挿入されていて、該水平同期信号のすぐ後（水平帰線消去期間のバックポーチ）にはカラーバースト信号が挿入されていて、受信信号がテレビジョン放送信号ではなくノイズであれば、該受信信号には水平同期信号およびカラーバースト信号が挿入されていない。このため、上記のように受信信号における正規の水平同期信号と正規のカラーバースト信号の両方の含有判別を行うことで、ノイズの波形が水平同期信号の波形に近似している場合であっても、ノイズを放送局からのテレビジョン放送信号と誤認するのを確実に防止することができる。また、受信信号に正規の水平同期信号と正規のカラーバースト信号の両方が含まれているのを確認できた場合に、テレビジョン放送信号を受信可能と判断して、選局中のチャンネルを登録し、両方が含まれているのを確認できなかった場合に、テレビジョン放送信号を受信不可能と判断して、選局中のチャンネルを登録しないことで、ノイズではなく、テレビジョン放送信号を受信可能なチャンネルのみを確実に登録することができる。さらに、垂直同期信号より周波数が高くパルス数が多い水平同期信号について含有判別を行っているので、同期信号の含有判別にかかる時間を短縮して、オートプリセット処理の高速化を図ることができるとともに、ノイズを同期信号と誤認し難くすることができる。
【００２８】
本発明は、以上述べた実施形態以外にも種々の形態を採用することができる。例えば、以上の実施形態では、受信信号における水平同期信号の含有判別を行ってから、カラーバースト信号の含有判別を行うようにした例を挙げているが、本発明はこれのみに限定するものではない。これ以外に、例えば水平同期信号の含有判別を省略して、カラーバースト信号の含有判別のみを行うようにしてもよい。但し、カラーバースト信号を検出するには、水平同期信号の検出が必要である。また、水平同期信号に代えて、垂直同期信号の含有判別を行ったり、水平同期信号と垂直同期信号の両方の含有判別を行ったりしてもよい。
【００２９】
また、以上の実施形態では、受信信号に含まれる水平同期信号のパルス数およびカラーバースト信号のサイクル数をそれぞれカウントした各カウント値に基づいて、これらの信号が正規か否かを判別するようにした例を挙げているが、本発明はこれのみに限定するものではない。これ以外に、例えば水平同期信号（垂直同期信号でもよい）およびカラーバースト信号のパルス幅または周波数をそれぞれカウントした各カウント値に基づいて、これらの信号が正規か否かを判別するようにしてもよい。また、例えばカラーバースト信号のロック可否、即ち水平同期信号の後の所定時間内にカラーバースト信号を検出できたか否かというような、信号の挿入位置の確認結果に基づいて、正規か否かを判別するようにしてもよい。
【００３０】
また、以上の実施形態では、ＮＴＳＣ方式のカラー放送のテレビジョン放送信号を受信するアナログチューナ内蔵テレビジョン受像機１００に、本発明を適用した例を挙げているが、本発明はこれのみに限定するものではない。これ以外に、例えばＰＡＬ(Phase Alternation by Line)方式やＳＥＣＡＭ(Sequenticel Couleur A Memoire)方式のような他の方式のカラー放送、またはモノクロ放送のテレビジョン放送信号を受信するテレビ、ビデオ、ＤＶＤ（Digital Versatile Disk）レコーダ、ハードディスクレコーダ、若しくはチューナ装置、またはこれらの複合装置等の映像機器に適用することができる。つまり、本発明は、バースト信号を含んだテレビジョン放送信号を受信可能なアナログチューナを内蔵した映像機器に適用可能である。
【図面の簡単な説明】
【００３１】
【図１】アナログチューナ内蔵テレビジョン受像機のブロック図である。
【図２】ＮＴＳＣ方式のテレビジョン放送信号の波形図である。
【図３】オートプリセット処理の手順を示すフローチャートである。
【符号の説明】
【００３２】
１  マイクロコンピュータ
２  アナログチューナ
８  映像信号処理部
１００  アナログチューナ内蔵テレビジョン受像機
【図１】
2007043409.tif 000003
【図２】
2007043409.tif 000004
【図３】
2007043409.tif 000005